(57)【要約】  開口に冷気エアーカーテンと保護用のエアーカーテンを形成する低温ショーケースにおいて、支障無く冷気の漏洩及び外気の侵入を防止若しくは抑制する。  断面略コ字状の断熱壁２内を仕切板４にて仕切ることにより、ダクト６と前面が開口する陳列室８を形成し、ダクト内に配設した冷却器２１により冷却された冷気を開口上縁の冷気吐出口１７から吐出し、開口下縁の冷気吸込口１８から吸い込んで開口に冷気エアーカーテンを形成する。冷気吐出口より前側の外層吐出口２５から空気を吐出して冷気エアーカーテンの前側に保護用のエアーカーテンを形成する。陳列室の開口を開閉自在に閉塞する透明扉３１を取り付け、この透明扉を、冷気吐出口及び冷気吸込口より前側であって、外層吐出口より後側に配置した。
2015118842.tif 000002
【特許請求の範囲】
【請求項１】
断面略コ字状の断熱壁と、該断熱壁の側面に取り付けられる側板とから構成され、前記断熱壁内を仕切板にて仕切ることにより、ダクトと前面が開口する陳列室を形成し、前記ダクト内に配設した冷却器により冷却された冷気を前記開口上縁の冷気吐出口から吐出し、開口下縁の冷気吸込口から吸い込むことで、前記開口に冷気エアーカーテンを形成すると共に、前記冷気吐出口より前側に形成された外層吐出口から空気を吐出して前記冷気エアーカーテンの前側に保護用のエアーカーテンを形成する低温ショーケースにおいて、
前記陳列室の開口を開閉自在に閉塞する透明扉を取り付け、
該透明扉を、前記冷気吐出口及び冷気吸込口より前側であって、前記外層吐出口より後側に配置したことを特徴とする低温ショーケース。
【請求項２】
前記透明扉の下側に位置する断熱壁に、当該透明扉の外面に生じた結露水を、前記ダクト内に案内するドレン案内部を形成したことを特徴とする請求項１に記載の低温ショーケース。
【請求項３】
前記透明扉の上縁部外側と前記陳列室内とをシールするシール部材を前記断熱壁に設けたことを特徴とする請求項１又は請求項２に記載の低温ショーケース。
【請求項４】
前記陳列室内に架設され、当該陳列室の開口より前方に引き出し自在とされた商品陳列用の棚を備え、
前記透明扉は観音開き式であり、開放された状態で、前記棚が引き出される領域よりも外側に位置することを特徴とする請求項１乃至請求項３のうちの何れかに記載の低温ショーケース。
【発明の詳細な説明】
【技術分野】
【０００１】
本発明は、前面が開口する陳列室内に商品を陳列する低温ショーケースであって、特に、開口に冷気エアーカーテンと保護用のエアーカーテンを形成するものに関する。
【背景技術】
【０００２】
従来よりこの種オープンショーケースは、断面略コ字状の断熱壁と、この断熱壁の側面に取り付けられる側板とから構成されており、断熱壁内を仕切板にて仕切ることにより、ダクトと前面が開口する陳列室を形成している。そして、陳列室には商品を陳列する棚を架設すると共に、ダクト内には冷却器を配置し、この冷却器により冷却された冷気を開口上縁の冷気吐出口から吐出し、開口下縁の冷気吸込口から吸い込むことで、開口に冷気エアーカーテンを形成していた（例えば、特許文献１参照）。【０００３】
また、冷気吐出口より前側には外層吐出口を形成し、この外層吐出口から空気を吐出して冷気エアーカーテンの前側に保護用のエアーカーテンを形成するものもあった。
【先行技術文献】
【特許文献】
【０００４】
【特許文献１】特開２０１２−１６１３４５号公報
【発明の概要】
【発明が解決しようとする課題】
【０００５】
このようなオープンショーケースでは、陳列室の前面が開口しているために顧客による商品の取り出しが容易であり、商品販売上の効果が極めて高いものであるが、陳列室からの冷気漏洩が著しい。これを防止するために開口には冷気エアーカーテンを形成しているが、冷気の漏洩と外気の侵入は避けがたく、冷却効果の低下と消費電力の増加が否めない。【０００６】
そこで、前記特許文献１ではオープンショーケースの開口に扉を取り付ける構成としていた。扉を取り付けて開口を開閉自在とすることで、冷気の漏洩や外気の侵入を防止若しくは低減することができる。しかしながら、保護用のエアーカーテンを形成する場合、扉との位置関係によっては陳列室内に空気を導入してしまう結果となる問題が生じる。【０００７】
本発明は、係る従来の技術的課題を解決するために成されたものであり、開口に冷気エアーカーテンと保護用のエアーカーテンを形成する低温ショーケースにおいて、支障無く冷気の漏洩及び外気の侵入を防止若しくは抑制することができるようにすることを目的とする。
【課題を解決するための手段】
【０００８】
この明細書には、２０１４年２月５日に出願された日本国特許出願・特願２０１４−０２０３１８の全ての内容が含まれる。【０００９】
上記課題を解決するために、本発明は断面略コ字状の断熱壁と、この断熱壁の側面に取り付けられる側板とから構成され、断熱壁内を仕切板にて仕切ることにより、ダクトと前面が開口する陳列室を形成し、ダクト内に配設した冷却器により冷却された冷気を開口上縁の冷気吐出口から吐出し、開口下縁の冷気吸込口から吸い込むことで、開口に冷気エアーカーテンを形成すると共に、冷気吐出口より前側に形成された外層吐出口から空気を吐出して冷気エアーカーテンの前側に保護用のエアーカーテンを形成する低温ショーケースにおいて、陳列室の開口を開閉自在に閉塞する透明扉を取り付け、この透明扉を、冷気吐出口及び冷気吸込口より前側であって、外層吐出口より後側に配置したことを特徴とする。【００１０】
請求項２の発明の低温ショーケースは、上記発明において透明扉の下側に位置する断熱壁に、当該透明扉の外面に生じた結露水を、ダクト内に案内するドレン案内部を形成したことを特徴とする。【００１１】
請求項３の発明の低温ショーケースは、上記各発明において透明扉の上縁部外側と陳列室内とをシールするシール部材を断熱壁に設けたことを特徴とする。【００１２】
請求項４の発明の低温ショーケースは、上記各発明において陳列室内に架設され、当該陳列室の開口より前方に引き出し自在とされた商品陳列用の棚を備え、透明扉は観音開き式であり、開放された状態で、棚が引き出される領域よりも外側に位置することを特徴とする。
【発明の効果】
【００１３】
本発明によれば、断面略コ字状の断熱壁と、この断熱壁の側面に取り付けられる側板とから構成され、断熱壁内を仕切板にて仕切ることにより、ダクトと前面が開口する陳列室を形成し、ダクト内に配設した冷却器により冷却された冷気を開口上縁の冷気吐出口から吐出し、開口下縁の冷気吸込口から吸い込むことで、開口に冷気エアーカーテンを形成すると共に、冷気吐出口より前側に形成された外層吐出口から空気を吐出して冷気エアーカーテンの前側に保護用のエアーカーテンを形成する低温ショーケースにおいて、陳列室の開口を開閉自在に閉塞する透明扉を取り付けたので、一般的なオープンショーケースでは宿命であった冷気の漏洩や外気の侵入を防止若しくは抑制することができるようになる。【００１４】
この場合、透明扉を冷気吐出口及び冷気吸込口より前側であって、外層吐出口より後側に配置しているので、冷気吐出口と冷気吸込口によって形成される冷気エアーカーテンによって陳列室内を支障無く冷却することができると共に、外層吐出口から吐出される保護用のエアーカーテンの空気が陳列室内に侵入する不都合も防止できる。また、保護用のエアーカーテンは透明扉の外面に吹き付けられることになるので、透明扉外面への結露水の発生も抑制することが可能となる。【００１５】
また、請求項２の発明によれば、上記の如き透明扉下側に位置する断熱壁に、当該透明扉の外面に生じた結露水をダクト内に案内するドレン案内部を形成したので、透明扉の外面に結露水が生じた場合にも、それが低温ショーケース外に滴下して周囲が汚損される不都合を回避することができるようになる。【００１６】
また、請求項３の発明によれば、上記各発明の如き透明扉の上縁部外側と陳列室内とをシールするシール部材を断熱壁に設けたので、冷気吐出口から吐出される冷気により、透明扉上縁部と断熱壁との隙間から吸い込まれようとする外気をシール部材で阻止することが可能となり、更なる冷却効果の向上を図ることが可能となる。【００１７】
更に、請求項４の発明の如く陳列室内に架設され、当該陳列室の開口より前方に引き出し自在とされた商品陳列用の棚を備えており、透明扉が観音開き式であるときに、この透明扉が開放された状態で、棚が引き出される領域よりも外側に位置するようにすれば、透明扉を開放することで、棚を支障無く開口より前方に引き出すことができる。これにより、透明扉があることで、棚上への商品補充作業が悪化する不都合も回避することができるものである。
【図面の簡単な説明】
【００１８】
【図１】図１は、本発明を適用した一実施例の低温ショーケースの縦断側面図である（実施例１）。
【図２】図２は、図１の低温ショーケースの正面図である。
【図３】図３は、図１の低温ショーケースの開口上縁部の拡大断面図である。
【図４】図４は、図１の低温ショーケースの開口下縁部の拡大断面図である。
【図５】図５は、図１の低温ショーケースの扉装置下部の拡大正面図である。
【図６】図６は、図１の低温ショーケースの扉装置部分の平断面図である。
【図７】図７は、図１の低温ショーケースの扉装置を閉じた状態の棚と扉装置の関係を示す図である。
【図８】図８は、図１の低温ショーケースの扉装置を開いた状態の棚と扉装置の関係を示す図である。
【図９】図９は、本発明を適用した他の実施例の低温ショーケースの縦断側面図である（実施例２）。
【図１０】図１０は、図９の低温ショーケースの正面図である。
【図１１】図１１は、図９の低温ショーケースの開口上縁部の拡大断面図である。
【図１２】図１２は、図９の低温ショーケースの開口下縁部の拡大断面図である。
【図１３】図１３は、図９の低温ショーケースの扉装置下部の拡大正面図である。
【図１４】図１４は、図９の低温ショーケースの扉装置部分の平断面図である。
【図１５】図１５は、図９の低温ショーケースの扉装置を閉じた状態の棚と扉装置の関係を示す図である。
【図１６】図１６は、図９の低温ショーケースの扉装置を開いた状態の棚と扉装置の関係を示す図である。
【図１７】図１７は、本発明を適用した他の実施例の低温ショーケースの縦断側面図である（実施例３）。
【図１８】図１８は、図１７の低温ショーケースの正面図である。
【図１９】図１９は、図１７に示すＶ部分の拡大図である。
【発明を実施するための形態】
【００１９】
以下、本発明の実施の形態について、詳細に説明する。
【実施例１】
【００２０】
図１は本発明を適用した一実施例の低温ショーケースＳの縦断側面図、図２はその正面図を示している。実施例の低温ショーケースＳは、所謂縦型のオープンショーケース１に、観音開き式の扉装置Ｄ（ｈｉｎｇｅｄ  ｄｏｕｂｌｅ  ｄｏｏｒｓ）を取り付けたものであり、コンビニエンスストアやスーパーマーケット等の店舗内に据え付けられる。【００２１】
低温ショーケースＳを構成するオープンショーケース１は、前面が開口する断面略コ字状の断熱壁２と、据え付け現場において断熱壁２の側面に取り付けられる断熱性の側板５とから構成されている。オープンショーケース１の断熱壁２の内側には間隔を存して仕切板４が取り付けられ、仕切板４と断熱壁２の間にダクト６が形成されている。【００２２】
仕切板４下端には底板７が連続して取り付けられており、これら仕切板４及び底板７の内側を前面が開口（１４）する陳列室８としている。また、陳列室８内には背部の支柱に着脱自在に取り付けられる一対のブラケット１１及びこれらに保持された棚１２が複数段架設されている。更に、底板７上にはデッキパン１３が取り付けられ、これら棚１２及びデッキパン１３上に商品が陳列される構成とされている。尚、本発明ではこのデッキパン１３も商品陳列用の棚の概念に含まれるものとする。【００２３】
更に、棚１２及びデッキパン１３は図１に一点鎖線で示すように前方に引き出し自在とされており、棚１２やデッキパン１３上に商品を補充する際には、開口１４より前方に引き出して作業を行うことができるように構成されている。尚、デッキパン１３が前方に引き出される際には、デッキパン１３は陳列室８の開口１４の下縁より少許上側を通過して引き出される。【００２４】
断熱壁２の前面開口（陳列室８の開口１４）の上縁には、冷気吐出口１７が形成されており、この冷気吐出口１７は、ダクト６に連通している。また、断熱壁２の前面開口（陳列室８の開口１４）の下縁内側には、冷気吸込口１８が形成されてダクト６に連通している。また、仕切板４後側のダクト６内には、冷却装置の冷却器２１が配設されており、底板７の下方のダクト６内には、送風機１９が設置されている。【００２５】
送風機１９が運転されると冷却器２１と熱交換した冷気がダクト６内を上昇し、冷気吐出口１７より開口１４に向けて吐出される。開口１４に吐出された冷気は冷気吸込口１８より吸い込まれるので、これにより、開口１４には冷気エアーカーテンが形成され、この冷気エアーカーテンの一部が陳列室８内に循環される。尚、仕切板４には図示しない冷気吹出口が形成されており、冷気エアーカーテンの一部とこれら冷気吹出口から吹き出される冷気によって陳列室８内は所定温度に冷却される。【００２６】
断熱壁２の天壁２Ｂ前端にはキャノピー２２が前方に突出して開口１４の全幅に渡って取り付けられ、断熱壁２の一部を構成する。このキャノピー２２の内側には照明灯２３が設けられて陳列室８内を照明する。キャノピー２２の前側には上パネル２４が取り付けられており、この上パネル２４には陳列室８内の温度を表示するための温度計２６が取り付けられている。【００２７】
このキャノピー２２と上パネル２４の間には、冷気吐出口１７より前側に外層吐出口２５が形成されている。この外層吐出口２５からは外層用送風機３０によって図３に矢印で示すように空気（外気）が開口１４に向けて吐出され、冷気吐出口１７から吐出される冷気エアーカーテンの前側（外側）に保護用のエアーカーテンを形成する。【００２８】
一方、断熱壁２の下側前壁２Ｃには、冷気吸込口１８の前側に位置してハンドレール２７が取り付けられて断熱壁２の一部となり、開口１４の下縁を構成している。このハンドレール２７の上面は、陳列室８側（後方）に低く傾斜し、そこにドレン案内部２７Ａを構成している。以上がオープンショーケース１の構成である。【００２９】
次に、この実施例の観音開き式の扉装置Ｄは、何れも透明板ガラスから成る一対の透明扉３１、３１と、これら透明扉３１、３１を回動自在に枢支するヒンジ装置３２と、ヒンジ装置３２を断熱壁２に取り付けるための取付部材３３、３４等から構成される。実施例では扉装置Ｄがオープンショーケース１の開口１４に左右に二組取り付けられる。【００３０】
この場合、開口１４の上縁に位置するキャノピー２２の左右端（左右の側板５、５の内側）には左右端の取付部材３３が下方に突出して取り付けられ、左右方向の中央部にも中央の取付部材３３が下方に突出して取り付けられている。また、各取付部材３３の下方に対応する位置の開口１４の下縁には、左右端と中央の取付部材３４が取り付けられ、それぞれ上方に突出している。そして、左右の扉装置Ｄ、Ｄは中央の取付部材３３、３４の左右に並設されるかたちとされている。尚、棚１２やデッキパン１３は各扉装置Ｄ、Ｄの後方にそれぞれ対応して設けられている。【００３１】
ヒンジ装置３２は回動軸３６と、この回動軸３６に回動自在に取り付けられて透明扉３１の側縁部に取り付けられる第１の取付部３７と、回動軸３６に回動自在に取り付けられて取付部材３３、３４に取り付けられる第２の取付部３８とから成る。尚、ヒンジ装置３２は、扉装置Ｄの向かって右側の透明扉３１の向かって右側の側縁部の上下に取り付けられて当該透明扉３１を回動自在に枢支し、また、扉装置Ｄの向かって左側の透明扉３１の向かって左側の側縁部の上下に取り付けられて当該透明扉３１を回動自在に枢支することで、観音開き式とする。【００３２】
また、ヒンジ装置３２はカム方式の自閉機構を有しており、透明扉３１の開度が９０度未満の場合には閉じる方向に、９０度より大きい場合には開く方向に重力で透明扉３１を回動させる機能を有している。尚、３９は透明扉３１の非枢支側に取り付けられた取っ手である。また、上側の取付部材３３及びヒンジ装置３２は、最上段の棚１２より上側（最上段の棚１２が引き出される領域外）にあり、下側の取付部材３４及びヒンジ装置３２は、最下段の棚１２より下側（最下段の棚１２が引き出される領域外）に位置している。【００３３】
以上の構成で、扉装置Ｄの透明扉３１、３１を閉じた状態（図１〜図５、図７）では、透明扉３１、３１は冷気吐出口１７及び冷気吸込口１８より前側に位置し、且つ、図３に示すように透明扉３１は外層吐出口２５及びそれにより形成される保護用のエアーカーテンより後側（内側）に位置している。また、キャノピー２２下部の段差部にはシール部材４１が取り付けられている。このシール部材４１は閉じたときの透明扉３１の上縁部内面に密着して、透明扉３１上縁部の外側と陳列室８内とをシールする。【００３４】
また、ハンドレール２７は図４に示すように透明扉３１の下側に位置しており、その上面のドレン案内部２７Ａは、透明扉３１の外面に生じた結露水を受けるように構成されている。このドレン案内部２７Ａで受けた結露水はその傾斜によって図４中に矢印で示すように後方に流れ、底板７下方のダクト６内に流入して他のドレン水と共に処理される。【００３５】
ここで、外層吐出口２５から吐出された空気は透明扉３１の外面に吹き付けられるので、結露水の発生は抑制される。しかしながら、多湿季等の環境的に厳しい条件で結露水が生じた場合には、上述したようにドレン案内部２７Ａにより処理されることになる。【００３６】
次に、透明扉３１、３１を観音開き式に開放すると（図６）、図８に示すように透明扉３１はその全てが棚１２が引き出される領域よりも外側に位置する。このとき、ヒンジ装置３２の回動軸３６も棚１２が引き出される領域よりも外側に位置しているので、扉装置Ｄの左右の透明扉３１、３１を開放することで、棚１２は図８に示すように開口１４より前方に引き出すことができる。尚、デッキパン１３はこの実施例では取付部材３４及びヒンジ装置３２を避ける幅寸法としており、図１に示すように開口１４より前方に引き出すことができる。
【実施例２】
【００３７】
次に、図９〜図１６は本発明の他の実施例を示している。尚、各図において図１乃至図８と同一符号で示すものは同一若しくは同様の機能を奏するものとし、説明を省略する。この実施例においてもオープンショーケース１の構成は前述の実施例と同様である。【００３８】
但し、この場合の実施例の観音開き式の扉装置Ｄは、何れも透明板ガラスから成る一対の透明扉３１、３１と、これら透明扉３１、３１を回動自在に枢支するヒンジ装置３２Ａと、ヒンジ装置３２Ａを断熱壁２に取り付けるための取付部材３３Ａ、３４Ａ等から構成される。この実施例でも扉装置Ｄがオープンショーケース１の開口１４に左右に二組取り付けられる。【００３９】
この場合、開口１４の上縁に位置するキャノピー２２の左右端（左右の側板５、５の内側）には左右端の取付部材３３Ａが前方に突出して取り付けられ、左右方向の中央部にも中央の取付部材３３Ａが前方に突出して取り付けられている。また、各取付部材３３Ａの下方に対応する位置の開口１４の下縁には、左右端と中央の取付部材３４Ａが取り付けられ、それぞれ前方に突出している。そして、左右の扉装置Ｄ、Ｄは中央の取付部材３３Ａ、３４Ａの左右に並設されるかたちとされている。尚、この場合も棚１２やデッキパン１３は各扉装置Ｄ、Ｄの後方にそれぞれ対応して設けられている。【００４０】
ヒンジ装置３２Ａは、取付部材３３Ａ、又は、３４Ａに取り付けられる回動軸３６Ａと、この回動軸３６Ａに回動自在に取り付けられて透明扉３１の上縁の隅角部、又は、下縁の隅角部を保持する保持部３８Ａとから成る。尚、ヒンジ装置３２Ａは、扉装置Ｄの向かって右側の透明扉３１の向かって右側の上縁及び下縁の隅角部に取り付けられて当該透明扉３１を回動自在に枢支し、また、扉装置Ｄの向かって左側の透明扉３１の向かって左側の上縁及び下縁の隅角部に取り付けられて当該透明扉３１を回動自在に枢支することで、観音開き式とする。【００４１】
また、この場合のヒンジ装置３２Ａはカム方式の自閉機構を有しており、透明扉３１の開度が９０度未満の場合には閉じる方向に、９０度より大きい場合には開く方向に重力で透明扉３１を回動させる機能を有している。尚、上側の取付部材３３Ａ及びヒンジ装置３２Ａは、最上段の棚１２より上側（最上段の棚１２が引き出される領域外）にあり、下側の取付部材３４Ａ及びヒンジ装置３２Ａは、底部のデッキパン１３より下側（デッキパン１３が引き出される領域外）に位置している。【００４２】
以上の構成で、扉装置Ｄの透明扉３１、３１を閉じた状態（図９〜図１３、図１５）では、透明扉３１、３１は冷気吐出口１７及び冷気吸込口１８より前側に位置し、且つ、図１１に示すように透明扉３１は外層吐出口２５及びそれにより形成される保護用のエアーカーテンより後側（内側）に位置する。また、キャノピー２２下部の段差部には同様にシール部材４１が取り付けられている。このシール部材４１も閉じたときの透明扉３１の上縁部内面に密着して、透明扉３１上縁部の外側と陳列室８内とをシールする。
また、このキャノピー２２と上パネル２４の間には、冷気吐出口１７より前側に外層吐出口２５が形成されている。この外層吐出口２５からは外層用送風機３０によって空気（外気）が開口１４に向けて吐出され、冷気吐出口１７から吐出される冷気エアーカーテンの前側（外側）に保護用のエアーカーテンを形成する。【００４３】
また、この場合のハンドレール２７も図１２に示すように透明扉３１の下側に位置しており、その上面のドレン案内部２７Ａは、透明扉３１の外面に生じた結露水を受けるように構成されている。このドレン案内部２７Ａで受けた結露水は同様にその傾斜によって図１２中に矢印で示すように後方に流れ、底板７下方のダクト６内に流入して他のドレン水と共に処理される。尚、同様に外層吐出口２５から吐出された空気は透明扉３１の外面に吹き付けられるので、結露水の発生は抑制されている。【００４４】
次に、透明扉３１、３１を観音開き式に開放すると（図１４）、図１６に示すように透明扉３１はその全てが棚１２及びデッキパン１３が引き出される領域よりも外側に位置する。また、下側のヒンジ装置３２Ａはデッキパン１３より下側にあり、上側のヒンジ装置３２Ａは最上段の棚１２より上方にある。更に、ヒンジ装置３２Ａの回動軸３６Ａも棚１２が引き出される領域より外側に位置しているので、扉装置Ｄの左右の透明扉３１、３１を開放することで、棚１２は図１６に示すように、また、デッキパン１３も図９に示すように開口１４より前方に引き出すことができる。【００４５】
以上詳述した如く本発明によれば、断面略コ字状の断熱壁２と、この断熱壁２の側面に取り付けられる側板５とから構成され、断熱壁２内を仕切板４にて仕切ることにより、ダクト６と前面が開口する陳列室８を形成し、ダクト６内に配設した冷却器２１により冷却された冷気を開口１４の上縁の冷気吐出口１７から吐出し、開口１４の下縁の冷気吸込口１８から吸い込むことで、開口１４に冷気エアーカーテンを形成すると共に、冷気吐出口１７より前側に形成された外層吐出口２５から空気を吐出して冷気エアーカーテンの前側に保護用のエアーカーテンを形成する低温ショーケースＳにおいて、陳列室８の開口１４を開閉自在に閉塞する透明扉３１を取り付けたので、一般的なオープンショーケース１では宿命であった冷気の漏洩や外気の侵入を防止若しくは抑制することができるようになる。【００４６】
この場合、透明扉３１を冷気吐出口１７及び冷気吸込口１８より前側であって、外層吐出口２５より後側に配置しているので、冷気吐出口１７と冷気吸込口１８によって形成される冷気エアーカーテンによって陳列室８内を支障無く冷却することができると共に、外層吐出口２５から吐出される保護用のエアーカーテンの空気が陳列室８内に侵入する不都合も防止できる。また、保護用のエアーカーテンは透明扉３１の外面に吹き付けられることになるので、透明扉３１外面への結露水の発生も抑制することが可能となる。【００４７】
また、透明扉３１下側に位置する断熱壁２のハンドレール２７に、透明扉３１の外面に生じた結露水をダクト６内に案内するドレン案内部２７Ａを形成したので、透明扉３１の外面に結露水が生じた場合にも、それが低温ショーケースＳ外に滴下して周囲が汚損される不都合を回避することができるようになる。【００４８】
また、透明扉３１の上縁部外側と陳列室８内とをシールするシール部材４１を断熱壁２のキャノピー２２に設けたので、冷気吐出口１７から吐出される冷気により、透明扉３１上縁部と断熱壁２との隙間から吸い込まれようとする外気をシール部材４１で阻止することが可能となり、更なる冷却効果の向上を図ることが可能となる。【００４９】
更に、陳列室８内に架設され、当該陳列室８の開口１４より前方に引き出し自在とされた商品陳列用の棚１２やデッキパン１３を備えており、透明扉３１が観音開き式であるときに、この透明扉３１が開放された状態で、棚１２やデッキパン１３が引き出される領域よりも外側に位置するようにすれば、透明扉３１を開放することで、棚１２やデッキパン１３を支障無く開口１４より前方に引き出すことができる。これにより、透明扉３１があることで、棚１２やデッキパン１３上への商品補充作業が悪化する不都合も回避することができる。
【実施例３】
【００５０】
次に、図１７〜図１９は本発明の実施例３を示している。
実施例３は、上述の実施例１、実施例２と比較し、実施例１、実施例２のオープンショーケース１の開口１４の周囲の縁に枠状のフレーム１２０が設けられている点で相違している。なお、実施例３において、実施例１、実施例２と同様の構成については同一の符号を付し、その説明を省略する。
陳列室８内の構造、ならびに、冷却器２１を含む冷却構造については実施例１、実施例２と同様である。以下、フレーム１２０について説明する。【００５１】
実施例３の低温ショーケースＳＳは、所謂縦型のオープンショーケース１００に、観音開き式の扉装置Ｄ２を取り付けたものであり、コンビニエンスストアやスーパーマーケット等の店舗内に据え付けられる。
図１７、図１８に示すように、扉装置Ｄ２は、オープンショーケース１００の開口１４に取付けられる枠状のフレーム１２０と、何れも透明板ガラスから成る一対の透明扉３１、３１と、これら透明扉３１、３１を回動自在に枢支するヒンジ装置３２Ａとから構成される。【００５２】
フレーム１２０は、開口１４の上端に設けられる上フレーム１２０Ａと、開口１４の下端に設けられる下フレーム１２０Ｂと、開口１４の左右端に設けられる縦フレーム１２０Ｃとで構成されている。
図１７に示すように、上フレーム１２０Ａは、開口１４の上端、すなわち本実施例ではキャノピー２２の前端下部に、前方に突出するよう取り付けられている。下フレーム１２０Ｂは、開口１４の下端、すなわち本実施例では開口１４の下縁を構成しているハンドレール２７の上部に取り付けられている。縦フレーム１２０Ｃは、側面視で、上フレーム１２０Ａの後端部側と下フレーム１２０Ｂの後端部側とをつなぐ位置に、水平面と略垂直になるよう取り付けられている。
透明扉３１は、透明扉３１を回動自在に枢支するヒンジ装置３２Ａにより、上フレーム１２０Ａ、下フレーム１２０Ｂに取り付けられており、また、透明扉３１は、縦フレーム１２０Ｃよりも前側（外側）に設けられている。
また、キャノピー２２と上パネル２４の間には、冷気吐出口１７より前側に外層吐出口２５が形成されている。この外層吐出口２５からは外層用送風機３０によって空気（外気）が開口１４に向けて吐出され、冷気吐出口１７から吐出される冷気エアーカーテンの前側（外側）に保護用のエアーカーテンを形成する。【００５３】
図１９は、図１７に示すＶ部分の拡大断面図である。
下フレーム１２０Ｂは、基部１２０Ｂ−１と、基部１２０Ｂ−１から立ち上がる立ち上がり部１２０Ｂ−２とから構成されている。立ち上がり部１２０Ｂ−２とヒンジ装置３２Ａとの間には、パッキン１１５が設けられている。
また、下フレーム１２０Ｂの後端下部であり、基部１２０Ｂ−１と立ち上がり部１２０Ｂ−２との間には、扉装置Ｄ２から下フレーム１２０Ｂに流れる結露水を庫内側に導くための排水路である結露水排水口２００が形成されている。この結露水排水口２００は、図１８に示すように、オープンショーケース１００の正面視では、下フレーム１２０Ｂのうち、各透明扉３１の中央部の下方に１ヶ所ずつ形成されている。
なお、結露水排水口２００は、各透明扉３１ごとに複数形成されてもよいし、各扉装置Ｄ２ごとに１ヶ所形成されてもよい。結露水排水口２００を形成する箇所および個数は、適宜に変更が可能である。
また、結露水排水口２００は、下フレーム１２０Ｂの前端部から後方にかけて下り傾斜する傾斜部を形成してもよい。係る傾斜部を形成することで結露水が結露水排水口２００に流れ込むことを促すことができる。
また、本実施の形態では、結露水排水口２００を下フレーム１２０Ｂの後端下部であり、基部１２０Ｂ−１と立ち上がり部１２０Ｂ−２との間に形成したが、基部１２０Ｂ−１を貫通する貫通穴を結露水排水口として形成するなど、結露水排水口を他の形態とすることも可能である。【００５４】
庫内側を後方、透明扉３１側を前方とすると、透明扉３１の前面、および透明扉３１の後面に発生した結露水は、基部１２０Ｂ−１の前方側の上面に溜まる。図４に矢印Ｆで示したように、基部１２０Ｂ−１の前方側の上面に溜まった結露水は、結露水排水口２００を通り、冷気吸込部材２８と基部１２０Ｂ−１の後方との隙間を通ってダクト６に流れ落ち、底板７の下方の排水口（不図示）に集められ、他のドレン水とともに処理される。【００５５】
以上の構成で、透明扉３１を閉じた状態（図１７）では、透明扉３１は冷気吐出口１７及び冷気吸込口１８より前側（外側）に位置し、且つ、図１７に示すように透明扉３１は外層吐出口２５及びそれにより形成される保護用のエアーカーテンより後側（内側）に位置する。また、キャノピー２２下部の段差部には同様にシール部材（不図示）が取り付けられている。このシール部材も閉じたときの透明扉３１の上縁部内面に密着して、透明扉３１上縁部の外側と陳列室８内とをシールする。【００５６】
そのため、透明扉３１を冷気吐出口１７及び冷気吸込口１８より前側であって、外層吐出口２５より後側に配置しているので、冷気吐出口１７と冷気吸込口１８によって形成されている冷気エアーカーテンによって陳列室８内を支障なく冷却することができると共に、外層吐出口２５から吐出される保護用のエアーカーテンの空気が陳列室８内に侵入する不都合を防止できる。また、保護用のエアーカーテンは透明扉３１の外面に吹き付けられることになるので、透明扉３１外面への結露水の発生も抑制することができる。【００５７】
また、本実施例によれば、下フレーム１２０Ｂに結露水排水口２００を設けたため、扉装置Ｄ２にフレーム１２０を備えた場合にも、透明扉３１の内側に結露した結露水を円滑に底板７の下方の排水口（不図示）に送ることができる。そのため、透明扉３１の外側に結露水が生じた場合にも、それが低温ショーケース外に滴下して周囲が汚損される不都合を回避することができるようになる。【００５８】
また、透明扉３１の上縁部外側と陳列室８内とをシールするシール部材を断熱壁２のキャノピー２２に設けたので、冷気吐出口１７から吐出される冷気により、透明扉３１上縁部と断熱壁２との隙間から吸い込まれようとする外気をシール部材で阻止することが可能となり、更なる冷却効果の向上を図ることが可能となる。【００５９】
また、本実施例によっても、実施例１、実施例２と同様に、陳列室８内に架設され、当該陳列室８の開口１４より前方に引き出し自在とされた商品陳列用の棚１２やデッキパン１３を備えており、透明扉３１が観音開き式であるときに、この透明扉３１が開放された状態で、棚１２やデッキパン１３が引き出される領域よりも外側に位置するようにすれば、透明扉３１を開放することで、棚１２やデッキパン１３を支障無く開口１４より前方に引き出すことができる。これにより、透明扉３１があることで、棚１２やデッキパン１３上への商品補充作業が悪化する不都合も回避することができる。【００６０】
また、本実施例によれば、例えば、ショーケースの開口部に予めフレーム１２０と嵌合する枠を設けおくことで、ショーケースの開口部に後付けで容易に扉装置Ｄ２を設けることができる。【００６１】
以上、各実施例に基づいて本発明を説明したが、本発明はこれらの実施例に限定されるものではない。あくまでも本発明の実施の態様を例示するものであるから、本発明の趣旨を逸脱しない範囲で任意に変更、及び応用が可能である。
【符号の説明】
【００６２】
Ｄ、Ｄ２  扉装置
Ｓ、ＳＳ  低温ショーケース
１、１００  オープンショーケース
２  断熱壁
４  仕切板
６  ダクト
８  陳列室
１２  棚
１３  デッキパン
１４  開口
１７  冷気吐出口
１８  冷気吸込口
１９  送風機
２１  冷却器
２２  キャノピー
２４  上パネル
２５  外層吐出口
２７  ハンドレール
２７Ａ  ドレン案内部
３０  外層用送風機
３１  透明扉
３２、３２Ａ  ヒンジ装置
３３、３４、３３Ａ、３４Ａ  取付部材
３６、３６Ａ  回動軸
３７  第１の取付部
３８  第２の取付部
３８Ａ  保持部
４１  シール部材
１２０  フレーム
１２０Ａ  上フレーム
１２０Ｂ  下フレーム
１２０Ｃ  縦フレーム
【図１】
2015118842.tif 000003
【図２】
2015118842.tif 000004
【図３】
2015118842.tif 000005
【図４】
2015118842.tif 000006
【図５】
2015118842.tif 000007
【図６】
2015118842.tif 000008
【図７】
2015118842.tif 000009
【図８】
2015118842.tif 000010
【図９】
2015118842.tif 000011
【図１０】
2015118842.tif 000012
【図１１】
2015118842.tif 000013
【図１２】
2015118842.tif 000014
【図１３】
2015118842.tif 000015
【図１４】
2015118842.tif 000016
【図１５】
2015118842.tif 000017
【図１６】
2015118842.tif 000018
【図１７】
2015118842.tif 000019
【図１８】
2015118842.tif 000020
【図１９】
2015118842.tif 000021
【国際調査報告】
2015118842.tif 000022
2015118842.tif 000023
2015118842.tif 000024
2015118842.tif 000025